(57)【特許請求の範囲】
【請求項１】
建物躯体の開口部に取付けてある既存の金属建具を断熱建具に改修する方法であって、
前記既存の金属建具の金属枠体を建物躯体の開口部に残存させ、
この残存した既存の金属枠体における室内外側方向中間部に、穴を長手方向に間隔を置いて複数形成、又は長手方向全長に連続して形成することで室内側部と室外側部とに熱が伝わり難くし、
新設の断熱建具の断熱枠体を、前記建物躯体の開口部に取付けることを特徴とする建具の改修方法。
【請求項２】
前記穴に断熱材を注入充填又は、断熱材の成形品を嵌め込んだ請求項１記載の建具の改修方法。
【請求項３】
前記既存の金属枠体の穴よりも室内寄りの室内側部と穴よりも室外寄りの室外側部とに、金属の室内側部材と金属の室外側部材を断熱材で連結した下地材の室内側部材と室外側部材をそれぞれ連結した請求項１又は２記載の建具の改修方法。
【請求項４】
前記新設の断熱枠体の室内側部を、前記下地材の室内側部材に固着した請求項３記載の建具の改修方法。
【請求項５】
前記既存の金属枠体の上枠、下枠、縦枠の各内向突片を切断して除去し、この後に穴を形成するようにした請求項１〜４いずれか１項記載の建具の改修方法。
【発明の詳細な説明】
【０００１】
【発明の属する技術分野】
本発明は、引き違い窓などの開き窓、引き違い戸などの引戸、玄関ドアなどのドア等の建物躯体の開口部に取付けてある既存の金属建具を断熱建具に改修する方法に関する。
【０００２】
【従来の技術】
開き窓、引戸、ドア等の枠体に障子戸・扉などを開閉自在に装着した建具は、長い年月が経過することで老朽化し、見栄えが悪くなると共に、開閉操作がやりずらくなったり等の不具合が発生する。
このために、既存の建具を新設の建具に改修する方法が種々提案されている。
【０００３】
例えば、既存の建具の枠体から障子戸・扉などを取り外して枠体を建物躯体の開口部に残存させる。
この残存した既存枠体の上に新設の建具の枠体（以下新設枠体という）をかぶせて取付け、その新設枠体に障子戸・扉などを装着して新設の建具に改修するかぶせ工法と呼ばれる改修方法が提案されている。
【０００４】
【発明が解決しようとする課題】
集合住宅などに取付けてある建具は、スチール、アルミ等の金属枠体に障子戸、扉などを装着した金属建具が多い。
この金属建具は、金属枠体の室外側部と室内側部とに熱が伝わり易いから、室内と室外とに金属枠体を通して熱が伝わり易く、室内冷暖房効率が悪い。
また、室外の冷気が金属枠体の室内側部に伝わり、その金属枠体の室内側部に結露が生じる。
【０００５】
このことを解消するために、室内側部と室外側部とに熱が伝わり難い断熱枠体に障子戸・扉などを装着した断熱建具が提案されている。
例えば、アルミ押出形材の室内側部材と室外側部材を断熱材で連結した断熱形材を枠組みした断熱枠体に障子戸・扉を開閉自在に装着した断熱建具が提案されている。
【０００６】
この断熱建具であれば、断熱枠体を通して室内と室外に熱が伝わり難いので、室内冷暖房効率が向上する。
また、室外の冷気が断熱枠体の室内側部に伝わり難く、断熱枠体の室内側部に結露が生じないようにできる。
【０００７】
前述のことから、集合住宅などに取付けてある既存の金属建具を新設の断熱建具に改修することが考えられる。
しかしながら、前述した従来の改修方法により既存の金属建具を新設の断熱建具に改修すると、建物躯体の開口部に金属枠体が残存する。
この残存した既設の金属枠体を通して室外の冷気が新設の断熱枠体の室内側部に伝わり、その室内側部に結露が生じる。
このために、断熱枠体の室内側部に結露が生じないという断熱建具の利点が損なわれてしまう。
【０００８】
本発明は、前述の課題を解決するためになされたものであって、その目的は、室外の冷気が残存した既存の金属枠体を通して新設の断熱枠体の室内側部に伝わり難く、新設の断熱枠体の室内側部に結露が生じることがない建具の改修方法を提供することである。
【０００９】
【課題を解決するための手段】
第１の発明は、建物躯体の開口部に取付けてある既存の金属建具を断熱建具に改修する方法であって、
前記既存の金属建具の金属枠体を建物躯体の開口部に残存させ、
この残存した既存の金属枠体における室内外側方向中間部に、穴を長手方向に間隔を置いて複数形成、又は長手方向全長に連続して形成することで室内側部と室外側部とに熱が伝わり難くし、
新設の断熱建具の断熱枠体を、前記建物躯体の開口部に取付けることを特徴とする建具の改修方法である。
【００１０】
第２の発明は、第１の発明において前記穴に断熱材を注入充填又は、断熱材の成形品を嵌め込んだ建具の改修方法である。
【００１１】
第３の発明は、第１又は第２の発明において前記既存の金属枠体の穴よりも室内寄りの室内側部と穴よりも室外寄りの室外側部とに、金属の室内側部材と金属の室外側部材を断熱材で連結した下地材の室内側部材と室外側部材をそれぞれ連結した建具の改修方法である。
【００１２】
第４の発明は、第３の発明において前記新設の断熱枠体の室内側部を、前記下地材の室内側部材に固着した建具の改修方法である。
【００１３】
第５の発明は、第１〜第４いずれか１つの発明において前記既存の金属枠体の上枠、下枠、縦枠の各内向突片を切断して除去し、この後に穴を形成するようにした建具の改修方法である。
【００１４】
【作  用】
第１の発明によれば、室外の冷気が、残存した既存の金属枠体を通して新設の断熱枠体の室内側部に伝わり難く、新設の断熱枠体の室内側部に結露が生じない。
よって、既存の金属建具を断熱建具に改修することが可能である。
【００１５】
また、穴加工することで既存の金属枠体を、その室内側部と室外側部とに熱が伝わり難くできる。
【００１６】
第２の発明によれば、既存の金属枠体の穴加工による強度低下を補償できる。
【００１７】
第３の発明によれば、既存の金属枠体を下地材で補強しているから、新設の断熱枠体が強固に取付けできる。
【００１８】
第４の発明によれば、既存の金属枠体の室内側部に伝わった室外の冷気が新設の断熱枠体の室内側部に直接的に伝わることがない。
新設の断熱枠体の室内側部が下地材の室内側部材に固着されているので、その断熱枠体を強固に取付けできる。
【００１９】
【発明の実施の形態】
図１と図２に示すように、建物躯体１、例えばコンクリート又はＰＣ板の開口部２に金属建具、例えば金属引き違い窓が取付けてある。この金属引き違い窓は金属枠体３に図示しない障子戸を引き違いに装着してある。
前記金属枠体３を形成する上枠４、下枠５、左右の縦枠６は、室内外側方向に連続した枠本体７と、この枠本体７の内面７ａに一体的に設けた複数の内向突片８を有するアルミ押出形材である。スチールであっても良い。
前記枠本体７の外面寄り部にブラケット９を係止して取付け、このブラケット９がアンカー１０に溶接等で固着されている。
【００２０】
前記既存の金属引き違い窓を新設の断熱引き違い窓に改修する手順を説明する。
金属枠体３から障子戸を取り外して金属枠体３を残存させる。
前述のように金属枠体３を残存させることで、その金属枠体３を建物躯体１から取り外す手間がはぶけ、改修作業効率が向上する。
また、建物躯体１がコンクリート、ＰＣ板等の場合には残存した既存の金属枠体３に、後述するように下地材又は新設の断熱枠体をビス止めできるから、建物躯体１がコンクリート、ＰＣ板等のビスを直接的に螺合することが難しい場合に有利である。
【００２１】
前記残存した既存の金属枠体３における上枠４、下枠５、縦枠６の各内向突片８の図１、図２に斜線で示す部分を切断して除去する。
前記上枠４、下枠５、縦枠６を、室内側部と室外側部とに熱が伝わり難くするために、各枠の枠本体７における室内外側方向中間で長手方向に間隔を置いた複数部分に穴１１をそれぞれ加工する。この穴１１は室内外側方向に短かく、長手方向に長いスリット状の穴である。
このスリット状の穴１１はグラインダーやセーバーソー、プラズマ切断機等で加工する。
すなわち、前述の改修作業は室内に人が居住している状態で実施されることが多く、火炎や火花が発生しない加工方法で加工することが好ましい。
また、上枠４、下枠５、縦枠６の内向突片８が切断して除去されているので、前述の穴１１の加工作業を容易に実施できる。
【００２２】
これにより、上枠４、下枠５、縦枠６の室内側部と室外側部の連続する面積が減少し、残存した既存の金属枠体３の室外側部と室内側部とに亘って熱が伝わり難くなる。
【００２３】
前記スリット状の穴１１にウレタン系樹脂などの断熱材１１ａを注入充填したり、樹脂、ゴムなどの断熱材の成形品を嵌め込んでスリット状の穴１１による各枠の強度低下を補償するようにしても良い。
【００２４】
図３、図４に示すように、各枠の枠本体７に下地材１２をそれぞれ取付けて穴１１を形成した各枠を補強する。この四周の下地材１２が新設の断熱引き違い窓の取付用開口部で、前記上枠４、下枠５、縦枠６の内向突片８が切断して除去してあるので、その取付用開口部が大きい。
この下地材１２は金属、例えばアルミ押出形材の室内側部材１３とアルミ押出形材の室外側部材１４を断熱材１５で連結した断熱形材である。
前記下地材１２は各枠と略同一長さの長尺であるが、短尺の下地材１２を各枠の長手方向に間隔を置いて複数取付けても良い。
前記下地材１２の室内側部材１３が枠本体７のスリット状の穴１１よりも室内寄りの室内側部にビス１６で取付けられる。
前記下地材１２の室外側部材１４が枠本体７のスリット状の穴１１よりも室外寄りの室外側部にビス１７で取付けられる。
これによって、各枠本体７（つまり、上枠４、下枠５、縦枠６）を補強すると共に、その室内側部と室外側部に下地材１２を通して熱が伝わらないようにする。
【００２５】
この後に新設の引き違い窓の断熱枠体２０を取付ける。
前記新設の断熱枠体２０は上枠２１、下枠２２、左右の縦枠２３を枠組みしたもので、その各枠は、金属、例えばアルミ押出形材の室内側部材２４と金属、例えばアルミ押出形材の室外側部材２５を断熱材２６で連結した断熱形材である。
前記各室内側部材２４を下地材１２の室内側部材１３に、木、樹脂等の断熱材のスペーサ２７を介してビス２８で連結する。なお、下枠２２の室内側部材２４は下地材１２の室内側部材１３に直接ビス止めする。各室外側部材２５を下地材１２の室外側部材１４に当接し、新設の断熱枠体２０を既存の金属枠体３の上に下地材１２を介してかぶせるようにして取付ける。
前記上枠２１、縦枠２３における室外側部材２５と下地材１２の室外側部材１４との当接部を水密材２９で水密し、その当接部から雨水等が浸入しないようにする。
【００２６】
このようにすることで、室外の冷気は既存の金属枠体３の室内側部に伝わり難いから、室外の冷気が既存の金属枠体３を通って断熱枠体２０の室内側部（室内側部材２４）に伝わり難い。
しかも、室外の冷気は各枠の室外側部材２５と下地材１２の室外側部材１４に伝わるが、これら室外側部材２５，１４に伝わった室外の冷気は下地材１２の室内側部材１３、既存の金属枠体３の室外側部に伝わり難い。
よって、断熱枠体２０の室内側部（室内側部材２４）に室外の冷気がより一層伝わり難い。
【００２７】
また、新設の断熱枠体２０が下地材１２を介して既存の金属枠体３に強固に取付けられる。
前記スリット状の穴１１と下地材１２の断熱材１５と新設の断熱枠体２０の各枠の断熱材２６は室内外方向に略同一位置である。
これにより、輻射熱等で室内外部材と室外側部材とに熱が伝わり難い。
【００２８】
前記残存した既存の金属枠体３の残存した部分の室内側部と新設の断熱枠体２０の各枠の室内側部材２４とに亘って内部額縁３０をそれぞれ取付けて室内側部の見栄えを良くする。
この内部額縁３０は表面（室内に露出する面）に熱が伝わり難く、断熱性を有するものである。
例えば、アルミ押出形材の内部額縁３０の表面に樹脂カバー３１を嵌め込んで取付ける。アルミ押出形材の内部額縁３０の裏面にウレタン等の断熱樹脂を吹きつけ、又は裏面に成形した断熱材を設ける。木材、合成木で内部額縁３０を作製する。
【００２９】
前述のスリット状の穴１１を枠本体７の室内外側方向中間部に長手方向に連続して形成（つまり、切断）することで、その室内側部と室外側部に熱が伝わらないようにしても良い。
【００３０】
前記新設の断熱枠体２０は、アルミ押出形材の室外側部材の室内側部に樹脂の室内側部材を連結した複合枠材を枠組みしたものでも良い。
例えば、図５と図６に示すように、上枠２１、下枠２２、縦枠２３をアルミ押出形材の室外側部材４０の室内側部に樹脂の室内側部材４１を連結したアルミと樹脂の複合枠材とする。
前記室外側部材４０は、アルミ押出形材の室外側部４０ａと室内側部４０ｂを断熱材４０ｃで連結した断熱形材であるが、アルミ押出形材の一体形状でも良い。
この場合の改修方法は前述の改修方法と同様である。
【００３１】
前述の改修方法は引き違い窓に限るものではなく、回転窓、すべり出し窓などの開き窓、引き違い戸などの引戸、玄関ドアなどのドアにも適用できる。
例えば、図７と図８に示すように、既存の玄関ドアの金属枠体３から扉を取り外し、その上枠４、下枠５、縦枠６の室内外側方向中間部に、前述と同様にスリット状の穴１１を形成して室外側部と室内側部に熱が伝わり難くする。
各枠に下地材１２を前述と同様にビス１６，１７でそれぞれ取付ける。
この後に、新設の玄関ドアの断熱枠体２０を前述と同様に取付け、最後に扉を取付ける。
図７、図８に示す建物躯体１は柱等木製であるが、コンクリート、ＰＣ板等の場合にも同様である。
【００３２】
前記断熱枠体２０の室内側部（上枠２１、下枠２２、縦枠２３の室内側部材２４）を、下地材１２の室内側部材１３ではなく、残存した既設の金属枠体３における穴１１よりも室内寄りの室内側部にビス等で固着しても良い。
【００３３】
【発明の効果】
請求項１に係る発明によれば、室外の冷気が、残存した既存の金属枠体を通して新設の断熱枠体の室内側部に伝わり難く、新設の断熱枠体の室内側部に結露が生じない。
よって、既存の金属建具を断熱建具に改修することが可能である。
【００３４】
また、穴加工することで既存の金属枠体を、その室内側部と室外側部とに熱が伝わり難くできる。
【００３５】
請求項２に係る発明によれば、既存の金属枠体の穴加工による強度低下を補償できる。
【００３６】
請求項３に係る発明によれば、既存の金属枠体を下地材で補強しているから、新設の断熱枠体が強固に取付けできる。
【００３７】
請求項４に係る発明によれば、既存の金属枠体の室内側部に伝わった室外の冷気が新設の断熱枠体の室内側部に直接的に伝わることがない。
新設の断熱枠体の室内側部が下地材の室内側部材に固着されているので、その断熱枠体を強固に取付けできる。
【図面の簡単な説明】
【図１】既存の金属枠体の縦断面図である。
【図２】既存の金属枠体の横断面図である。
【図３】断熱形材を用いた断熱枠体を取付けた状態の縦断面図である。
【図４】断熱形材を用いた断熱枠体を取付けた状態の横断面図である。
【図５】複合枠材を用いた断熱枠体を取付けた状態の縦断面図である。
【図６】複合枠材を用いた断熱枠体を取付けた状態の横断面図である。
【図７】玄関ドアの実施の形態を示す縦断面図である。
【図８】玄関ドアの実施の形態を示す横断面図である。
【符号の説明】
１…建物躯体
２…開口部
３…金属枠体
４…上枠
５…下枠
６…縦枠
７…枠本体
１１…穴
１２…下地材
１３…室内側部材
１４…室外側部材
１５…断熱材
２０…断熱枠体
２１…上枠
２２…下枠
２３…縦枠
２４…室内側部材
２５…室外側部材
２６…断熱材
４０…室外側部材
４１…室内側部材
【図１】
0003622082.tif 000002
【図２】
0003622082.tif 000003
【図３】
0003622082.tif 000004
【図４】
0003622082.tif 000005
【図５】
0003622082.tif 000006
【図６】
0003622082.tif 000007
【図７】
0003622082.tif 000008
【図８】
0003622082.tif 000009